(57)【要約】  ＥＡＳ／不利益物質排出タグ（１）では、そのタグが取付アセンブリにより物品に保持され、そのタグの一部はタグの本体から引っ込むのを解除可能に防止される。タグ本体には弓形溝が設置され、弓形溝を通って弓形取外しプローブが取付アセンブリ部を解除するために案内される。ばねクランプ（Ｓ）がその解除可能な防止機能を提供し、特に弓形プローブによる面内のねじりおよび／または他の力に応答するようになされたあごを含み、弓形プローブは回転により弓形溝を通って動き、ばねクランプに到達する。受面が弓形溝内に配置され、弓形形状に形成された比較的剛なワイヤが取付アセンブリ部を解除するのに用いられることを防止する。このタグの利益拒否（インク部分）は、ゴムの空気袋の内側に配設されるインク瓶（７２Ｂ）で特徴付けられ、インク瓶は完全にシールされた、超音波溶着された室に置かれる。【選択図】図１
2009526319.tif 000002
【特許請求の範囲】
【請求項１】
不利益物質を内包する瓶と；
前記瓶を収容する小瓶室を含むタグ本体と；
前記小瓶室から前記タグ本体の外側へ延在する溝とを備える；
防犯タグ。
【請求項２】
前記瓶の一部以外の全周に配置される空気袋をさらに備える；
請求項１の防犯タグ。
【請求項３】
前記瓶の一部は前記溝に近接した位置にある；
請求項２の防犯タグ。
【請求項４】
前記空気袋が弾性である；
請求項２の防犯タグ。
【請求項５】
前記空気袋がゴムを備える；
請求項２の防犯タグ。
【請求項６】
前記小瓶室が、前記小瓶室から延在する溝を除いて、前記小瓶を完全に封じる；
請求項１の防犯タグ。
【請求項７】
鋲本体を含む鋲留めをさらに備える防犯タグであって、前記タグ本体は外表面を備え、該外表面は開口を形成する囲まれた場所を含み、前記鋲本体は該開口中に延伸する；
請求項１の防犯タグ。
【請求項８】
前記溝が前記タグ本体に孔を形成する；
請求項７の防犯タグ。
【請求項９】
前記溝が前記タグ本体の囲まれた場所に孔を形成する；
請求項７の防犯タグ。
【請求項１０】
鋲頭を含む鋲留めをさらに備える防犯タグであって、前記タグ本体は該表面を備え、該外表面は凹部を含み、前記鋲頭は前記鋲が鋲本体にロックされたときに前記凹部に少なくとも一部が延伸する；
請求項１の防犯タグ。
【請求項１１】
１つ以上のブレーカプレートをさらに備える；
請求項１の防犯タグ。
【請求項１２】
前記１つ以上のブレーカプレートは前記瓶に近接して配置される；
請求項１１の防犯タグ。
【請求項１３】
前記１つ以上のブレーカプレートは金属を含む；
請求項１１の防犯タグ。
【請求項１４】
前記金属がアルミニウムを含む；
請求項１３の防犯タグ。
【請求項１５】
２つのブレーカプレートをさらに含み、該２つのブレーカプレートが前記小瓶をサンドウィッチする；
請求項１の防犯タグ。
【請求項１６】
前記不利益物質がインクを含む； 
請求項１の防犯タグ。
【請求項１７】
前記不利益物質は毒性がない；
請求項１の防犯タグ。
【請求項１８】
前記不利益物質は不燃性である；
請求項１の防犯タグ。
【請求項１９】
前記タグ本体は上部ハウジングと下部ハウジングとを含む；
請求項１の防犯タグ。
【請求項２０】
１つ以上のセンサをさらに含み、該１つ以上のセンサは前記タグ本体に配設される；
請求項１の防犯タグ。
【請求項２１】
前記１つ以上のセンサは少なくとも１つの磁気センサを備える；
請求項２０の防犯タグ。
【請求項２２】
前記１つ以上のセンサは少なくとも１つの音響磁気センサを備える；
請求項２０の防犯タグ。
【請求項２３】
前記１つ以上のセンサは、少なくとも１つの無線周波数センサを含む；
請求項２０の防犯タグ。
【請求項２４】
前記１つ以上のセンサは、少なくとも１つのＲＦＩＤセンサを含む；
請求項２０の防犯タグ。
【請求項２５】
前記１つ以上のセンサは、少なくとも１つのフェライト組立体を含む；
請求項１の防犯タグ。
【請求項２６】
前記１つ以上のセンサは、２種類以上のセンサを含む；
請求項２０の防犯タグ。
【請求項２７】
前記１つ以上のセンサは、不利益物質に近接して配置される；
請求項１の防犯タグ。
【請求項２８】
少なくとも部分的には前記タグ本体に保持される；
請求項１の防犯タグ。
【請求項２９】
前記タグ本体に配設されるばねクランプをさらに備え、該ばねクランプは鋲留めを前記タグ本体に固定する；
請求項１の防犯タグ。
【請求項３０】
前記ばねクランプは、２つのあごを備え、前記ばねクランプは前記２つのあごで前記鋲留めを前記鋲本体に固定する；
請求項２９の防犯タグ。
【請求項３１】
前記鋲留めは鋲本体を備え、前記ばねクランプは、前記２つのあごで前記鋲本体を挟むことにより前記鋲留めを前記鋲本体に固定する；
請求項３０の防犯タグ。
【請求項３２】
前記ばねクランプは、前記ばねクランプをロッキング位置に付勢するばねアームを供える；
請求項２９の防犯タグ。
【請求項３３】
前記タグ本体はスロットを有する支持壁を備え、前記ばねアームは少なくとも部分的に前記スロット中に配置される；
請求項３２の防犯タグ。
【請求項３４】
前記ばねクランプはばねクランプ本体を備え、該ばねクランプ本体は前記ばねクランプを前記タグ本体に旋回可能に取り付ける取付孔を含む；
請求項２９の防犯タグ。
【請求項３５】
前記タグ本体は取付を含み、前記ばねクランプはばねクランプ本体を備え、前記ばねクランプ本体は前記取付に前記ばねクランプを旋回可能に取り付ける取付孔を備える；
請求項２９の防犯タグ。
【請求項３６】
前記取付はリップを備え、前記取付孔の部分が前記リップで支持される；
請求項３５の防犯タグ。
【請求項３７】
前記ばねクランプは、回転運動によりロッキング位置から外れるようになされる；
請求項２９の防犯タグ。
【請求項３８】
前記ばねクランプは、直線運動によりロッキング位置から外れるようになされる；
請求項２９の防犯タグ。
【請求項３９】
前記ばねクランプは、回転運動と直線運動の組合せによりロッキング位置から外れるようになされる；
請求項２９の防犯タグ。
【請求項４０】
前記ばねクランプは、ばねクランプの曲がりによりロッキング位置から外れるようになされる；
請求項２９の防犯タグ。
【請求項４１】
前記タグ本体に配設される保持装置をさらに備え、該保持装置は前記鋲留めを前記タグ本体に固定する；
請求項２８の防犯タグ。
【請求項４２】
前記保持装置は、２つ以上のボールを含むボールクラッチを含む；
請求項４１の防犯タグ。
【請求項４３】
前記保持装置は、くさびを含む；
請求項４１の防犯タグ。
【請求項４４】
前記タグ本体は弓形プローブを受け入れる弓形溝を備える；
請求項１の防犯タグ。
【請求項４５】
ばねゲートをさらに備え、該ばねゲートは少なくとも一部が弓形溝内に配設される；
請求項４４の防犯タグ。
【発明の詳細な説明】
【技術分野】
【０００１】
本発明は、一般的に防犯タグおよびそれに使われるディタッチャに関し、より詳細には、電子物品監視（ＥＡＳ）システムで使用する、防犯、インクあるいは他の不利益物質タグおよび防犯タグディタッチャに関する。
【背景技術】
【０００２】
電子物品監視システムは当該技術分野では周知であり、在庫管理のためや、盗難および、同様な制御された領域からの物品の正当化されない持ち出しを防止するのに使用される。典型的には、そのようなシステムでは、システム送信機とシステム受信機を用いて探索区域を構成し、制御された領域から持ち出されるすべての物品がそこを横切る。
【０００３】
ＥＡＳタグは、個々の物品に取り付けられ、システム送信機により探索区域内に送信される信号と情報のやりとりをするようになされたマーカーあるいはセンサを有する。この情報のやりとりにより探索区域内で別の信号が生じ、その別の信号はシステム受信機で受信される。このように、タグ付き物品が探索区域内を移動すると、システム受信機で信号が受信され、探索区域内にタグ付き物品が正当化されずにあることを識別する。
【０００４】
ある種のＥＡＳタグは、再利用可能になされ、したがって、そのタグを物品に取り付けるための取り外し可能な取付け具を含む。このような取付け具は、その物品からタグの正当化されない持出しを避けるように、認可された人によってのみ取り外されるようになされる。このため、多くの取付け具では、それに使われる特別な工具、取り外し機械、あるいは他の装置によってのみ取り外し可能とされている。
【０００５】
取付け具とそれに使われるディタッチャ（取外し具）を用いるＥＡＳタグが、本出願人に譲渡された１９７６年３月９日登録の「再利用可能な防犯タグ（REUSABLE SECURITY TAG）」と題するハンブル(Humble)らの米国特許第３，９４２，８２９号（以下、「８２９特許」という）に開示されている。８２９特許のEASタグは、タグ本体と鋲留め式の取付け具とを含む。その鋲留めは、大きな頭部と尖った先端を有する鋲本体とを含み、鋲本体は、物品を通して突き刺し、タグ本体に受け入れられて固定されるのに使われる。このことにより、物品とタグとを一体に固定する。
【０００６】
８２９特許のタグでは、鋲は、広げられるあごを有するクラッチロックとして形成されたばねクランプを用いるタグ本体で固定される。物品を突き通すと、尖った鋲先端はタグ本体に受け入れられ、クラッチロックのあごの間で固定される。このことにより鋲とタグ本体はロックされ、ＥＡＳタグを物品に取り付けあるいは固定し、タグと物品とが互いに容易には分離されないようになる。
【０００７】
認可された人が、鋲をクラッチロックから、すなわちタグを物品から解放できるように、８２９特許は、タグ本体をつかみ、曲げ力を作用させるディタッチャ機械を用いる。この力はクラッチを変形するのに十分な力であり、クラッチロックのあごは広げられ、鋲を解除する。それから鋲はタグ本体から取り除かれ、物品とタグとは別々にされる。
【０００８】
クラッチロックを変形するのに十分なだけタグ本体を曲げられるように、８２９特許のタグ本体は柔らかい素材で作られる。たとえばポリプロピレンのような柔らかいプラスチック材料が用いられるのが一般的である。しかし、そのような材料は、切断されたり傷つけられたりすることがある。このことは、タグの固定部分がタグのＥＡＳセンサ部から取り外されたり、露出されて壊されたりする可能性が高くなるので、欠点となりうる。
【０００９】
さらに、８２９特許のタグ本体は、その曲がりを可能とするのに比較的大きなサイズである。このことも、大きなタグを使用することはタグが取り付けられる物品の美的外観を損なうので、同様に欠点となりうる。
【００１０】
８２９特許のばねクランプの変形をコンパクトディスク用のいわゆるキーパーに組み込んだ、別のタイプのＥＡＳ防犯装置が知られている。このタイプの装置は、本出願人に譲渡された１９９１年７月１６日登録の「コンパクトディスク等用のキーパー（KEEPER  FOR  COMPACT  DISC  PACKAGE  OR  THE  LIKE）」と題するバザード(Buzzard)らの米国特許第５，０３１，７５６号に開示されている。
【００１１】
７５６特許のキーパーは、剛なプラスチックフレームを備える。フレームの片側には、鋲のようなボタンアセンブリと８２９特許のようなばねクランプを収容する拡張部が設けられる。この場合、ばねクランプは、第１の位置でボタンアセンブリを固定するのに用いられる。この位置で、ボタンアセンブリの尖った先端はフレーム中に突出し、フレームを突き通し、フレームをコンパクトディスクを収容するボール紙容器に保持する。結果として、フレームとコンパクトディスクとの正当化されない持ち出しにより、フレームに内蔵されたＥＡＳセンサは、ＥＡＳシステムに警報を発するための検出可能な信号を発する。
【００１２】
７５６特許のキーパーでは、フレームの拡張部には向い合った直線のスロットが設けられ、そのスロットは、ばねクランプのあごの間の部分に繋がる。傾斜した直線状のフィンガーをこれらのスロットに差し込むと、フィンガーはその部分に導かれ、あごを外側に曲げる。このことによりボタンを解除し、ボタンはボール紙容器から引っ込むことができる。そして、ボール紙容器とそこに収容されたコンパクトディスクをフレームから離すことができる。
【００１３】
７５６特許のキーパーは、剛なフレームで８２９特許型のばねクランプを用いるが、欠点もある。一つの欠点は、ばねクランプに繋がる直線のスロットにより、見通せてクランプにアクセスすることができることである。このことにより、あごを開こうとしてスロットに直線状の物を差し込めるので、クランプが壊される可能性が高くなる。もう一つの欠点は、ディタッチャのフィンガーはばねクランプのあごの間の部分で受け入れられなければならないので、ディタッチャのフィンガーには高度な精度が要求されることである。このことによりディタッチャのコストと複雑さとが増大する。
【００１４】
本出願人に譲渡された１９９５年６月２０日登録の「弓形溝とそれ用のディタッチャ装置とを有する防犯タグ（SECURITY  TAG  HAVING  ARCUATE  CHANNEL  AND  DETACHER  APPARATUS  FOR  SAME）」と題するＴ．グエン(Nguyen,  T)らの米国特許第５，４２６，４１９号（以下、「４１９特許」という）は、上述のような不利益を有さないＥＡＳタグを開示し、４１９特許の開示をここに参照して引用する。そのＥＡＳタグは、硬いタグ本体を有し、そのタグ本体は、それに使われるディタッチャ装置の弓形のプローブをタグの弓形の溝に挿入してばねクランプ機構を解除することで、簡単な方法で物品から解放されるようになされる。ばねクランプ機構は取り外し可能なロック機構であり、物品を通して挿入されるようになされたアセンブリの取り外しを防ぎ、タグ本体の部分の開口に挿入されると外れない。４１９特許のＥＡＳタグは、上記のタグよりも壊しにくいが、以下に説明するように、ディタッチャ装置の弓形プローブを模倣するように弓形に曲げた比較的剛な金属片を挿入することで壊すことができる。
【発明の開示】
【００１５】
本発明の上記のおよび他の特徴と態様とは、以下の詳細な説明を添付の図面とともに読むことで、より明らかとなるであろう。
【００１６】
実施の形態は、本発明の原理による、タグ本体とタグ本体を物品に取り付けるための取付けアセンブリとを備えるＥＡＳタグを含む装置、システム、および方法に向けられる。取付けアセンブリは、タグ本体に受け入れられる鋲留めあるいは他の部分を含み、タグ本体には、取付けアセンブリの部品が引っ込むのを解除可能に防止するためのばねクランプあるいは他の防止機構が設けられる。タグ本体内で溝を画定する構造は、弓形溝を画定する。この溝はその防止機構に繋がり、弓形プローブが防止機構を解除するために防止機構に導かれるようにする。防止機構を解除することにより取付けアセンブリ部分が引っ込み、よって、取付けアセンブリと物品とをタグ本体から離す。弓形溝内の受面は、弓形プローブの弓形形状に実質的に形成された、比較的剛なワイヤが防止機構を解除するほどに十分に深く入り込むのを防止する。
【００１７】
このタグのインク部分は、保護されるべき物品に不利益物質を撒き散らす２−ブレーカプレート構造機構を含む。タグが壊されようとすると、不利益物質がタグの囲まれた場所内のあるいは近くの溝に送り込まれる。盗難者がタグを切ろうとすると、インク瓶が壊され（たとえば図１１の実施の形態を参照）、不利益物質がタグの溝を通って流れ（たとえば図１２の実施の形態を参照）、孔から出て、そして保護される物品を着色する。
【００１８】
本発明の一実施の形態では、取付けアセンブリは、頭部と鋲本体を有する鋲留めを含み、鋲本体は、第１開口を通じてタグ本体に受けられる取付け装置の一部である。防止機構は、 受けクラッチ機構、すなわち２つのあごを含み、鋲本体を受け入れてつかみ（クラッチし）、よって, 鋲本体がタグ本体から引っ込むことを防止する。係合したときに受けクラッチ機構に隣接する解除部分が受けクラッチ機構を解除し、よって、鋲本体が引っ込むことができる。タグ本体の第２開口は、弓形溝につながり、弓形溝は受けクラッチ機構に隣接する解除部分につながり、弓形プローブが受けクラッチ機構と係合し、解除する。
【００１９】
一実施の形態では、受面機構は、実質的に「L」形開口を形成する鉛直と水平の開口を有する実質的に平らで剛な部材で、対応する「L」形の弓形プローブを受け入れる。その剛な部材は、弓形溝に実質的に垂直に配置され、弓形プローブが防止機構を解除するのに弓形溝に挿入されるときに、鉛直の開口は「L」形の弓形プローブの鉛直部分がきっちりと通れるような大きさ、位置である。
【００２０】
プラスチック（あるいは他の素材）の受面は、形成されたワイヤを捕捉しそのワイヤが弓形溝にさらに挿入されるのを防止するキャッチを含む。受面は、ＥＡＳタグ本体に鋳型成形され、キャッチを剛な部材の鉛直の開口の前で弓形溝の壁に付勢する。
【００２１】
弓形溝中に弓形プローブを挿入すると、キャッチはその剛な部材の鉛直の開口から離れる方向に押され、「L」形弓形プローブの水平部材は、その付勢力に抗して押し、弓形プローブがきっちりとそこを通り抜けられるようにする。キャッチはばねの端部の曲がり部分でよい。
【００２２】
ここで注意すべきは、明細書中で「一実施の形態」あるいは「ある実施の形態」を参照することは、その実施の形態に関連して説明される特定の特徴、構造あるいは特性が少なくとも実施の形態に含まれていることを意味する。明細書中のいろいろな部分で「一実施の形態では」というフレーズが現れるのは、必ずしも同一の実施の形態を参照しているものではない。
【００２３】
ここで、具体的な詳細をいくつか説明し、実施の形態を十分に理解できるようにする。しかしながら、当業者は、実施の形態はそれらの具体的な詳細がなくても実施できることが分かるであろう。別の例では、実施の形態をぼやけさせないように、周知の方法、手順および構成は詳細には説明しない。本書で開示される特定な構造および機能の詳細は、代表例であり、必ずしも実施の形態の範囲を限定するものではないことも理解されるであろう。
【発明を実施するための最良の形態】
【００２４】
図１〜８は、米国特許第５，４２６，４１９号で開示された発明の原理による、ＥＡＳタグ１（「タグ１」とも称する）の実施の形態の種々の図面を示し、米国特許第５，４２６，４１９号を本書に参照して引用し、その説明の部分を下記する。発明の説明は、一実施の形態におけるＥＡＳタグ１の改良であるが、後に詳しく説明する。図１に示すように、タグ１は、上部壁２Ｅで接続される側壁２Ａ，２Ｂ、２Ｃ、２Ｄを有する上部ハウジング２を含む。 タグ１は、下部壁３Ｅで接続される、側壁３Ａ，３Ｂ（図２、４、６Ａ、６Ｂ、７の実施の形態で示される）、３Ｃ、３Ｄを有する下部ハウジング３も含む。上部ハウジング２、下部ハウジング３は、対応する、あるいは関連する側壁の対（２Ａ，３Ａ）、 （２Ｂ，３Ｂ）、（２Ｃ，３Ｃ）、（２Ｄ，３Ｄ）に沿って繋がれあるいは組み合わされ、閉じたタグ本体１Ａを形成する。
【００２５】
上部ハウジング２、下部ハウジング３は、硬いあるいは剛な材料で、あるいは別の材料（単数あるいは複数）で作られる。使用できる剛なあるいは硬い材料はたとえば射出成形ＡＢＳプラスチックのような硬いプラスチックである。プラスチックを使うと、上部ハウジング２および下部ハウジング３の組み合わされる側壁（２Ａ〜２Ｄ、３Ａ〜３Ｄ）は、超音波溶着１Ｂあるいは類似の接続機構で、もしくは上部ハウジング２と下部ハウジング３を接続しあるいは固定する別の機構で接続される。
【００２６】
タグ１は、大きな鋲頭４Ａと、スロットあるいは溝４Ｃと尖った先端４Ｄとが備えられる細長い鋲本体４Ｂとを有するように示される（たとえば図１、３、６Ａの実施の形態を参照）鋲留め４をさらに含む。鋲留め４は、ＥＡＳタグ１で保護される物品５１にタグ本体１Ａを取り付けるのに用いられる。このように、鋲留め４は、以下に説明するようにタグ本体１Ａにロックされるときに、少なくとも一部はタグ本体１Ａ中に保持される。
【００２７】
タグ１を検知し、よってタグ１と取り付けられた物品５１の存在を検出するのに、ハウジング２、３の壁２Ｅ、３Ｅの内面２Ｆ、３Ｆにはフレーム部材２Ｇ、３Ｇが備えられ、フレーム部材２Ｇ、３Ｇは一緒になってＥＡＳセンサであるセンサ５を受け入れる内部空間１Ｃ（図３の実施の形態を参照）を画定し、センサ５は１つ以上のアモルファスセンサ５Ａと場合により磁化されたバイアス５Ｂをも含む（図２、３の実施の形態参照）。あるいは、センサ５はタグ本体１Ａに配置されてもよい。ＥＡＳセンサ５は検出可能な信号を発生し、ある実施の形態では、米国特許第４,５１０，４８９号、４,５１０，４９０号に開示されるように音響共振磁気センサでよい。センサ５に含まれ得る他の磁気ＥＡＳセンサには、米国特許第４,６８６，５１６号、４,７９７，６５８号に開示されるセンサおよび米国特許第４,４２９，３０２号、４,３５６，４７７号に開示されるＲＦ・ＥＡＳセンサがある。
【００２８】
様々な他の実施の形態では、センサ５は、磁気、音響磁気、電磁気、フェライト組立体、無線周波数（ＲＦ）、無線周波数識別（ＲＦＩＤ）もしくはこれらの２つ以上の組合せ、および他の電子物品監視（ＥＡＳ）もしくは他のセンサのような、検出可能な信号を発生することができる如何なるセンサをも含む。
【００２９】
センサ５により発生する信号はＥＡＳ監視システムで検出される。ＥＡＳ監視システムには、たとえば、信号を検出し、監視システムに探索区域内にタグ１の存在あるいは不存在を知らせる送信機／受信機（「送受信機」）が含まれる。
【００３０】
上記のように、物品５１は鋲留め４によりタグ本体１Ａと接続される。このことは、鋲本体４Ｂを上部ハウジング２の壁２Ｅの開口２Ｈに挿入することで行われる。鋲本体４Ｂが完全に挿入されると、鋲の尖った先端は下部ハウジング壁３Ｅの内面３Ｆから延在するまっすぐな空間あるいはカラー３Ｈに受け入れられる。次に、鋲頭４Ａは、壁２Eの外表面でありタグ本体１Ａの外表面の一部である、上面２Ｊの、囲まれた場所２Ｉで画定されるくぼみに収まる。囲まれた場所２Ｉは、壁２Eにその上面２Jでくぼんだ形状を作る上面２Jの一部を含む。囲まれた場所２Ｉはまた、鋲本体４Bがそこを通って延伸する開口２Hを形成する。鋲本体４Bは、くぼみの開口２Hを通ってタグ本体１Ａ中へ延伸し、以下に説明するように、部材６をスロット４Ｃに係合して鋲留めを部材６に、よってタグ本体１Ａに固定する。部材６は、ばねクランプでよく、よって本書では「ばねクランプ６」と称される。鋲本体４Ｂも物品５１を通って延伸すると、物品５１あるいはその一部は、鋲頭４Ａと壁２Ｅの間に保持される。この位置で、物品５１の少なくとも一部は、場合によっては鋲頭４Ａの少なくとも一部も、鋲本体４Ｂがばねクランプ６に固定されたときに、囲まれた場所２Ｉで形作られるくぼみへと延在する。よって、一実施の形態では、くぼみは少なくとも鋲頭４Ａの一部を受け入れるのに充分な形状および大きさとされる。
【００３１】
以下で詳細に検討するばねクランプ６は、鋲本体４Ｂがタグ本体１Ａから引っ込むのを解除可能に防止するようにタグ本体１Ａ中に備えられる。鋲留め４と物品５１はＥＡＳタグ１にこのようにばねクランプ６により解除可能に固定される。
【００３２】
ＥＡＳタグ１は、認可された人以外の人には、ばねクランプ６を解除するためのアクセスが難しくなされるように、さらになされる。このために、タグ本体１Ａは、ばねクランプ６へのアクセスが、タグ本体１Ａの１つ以上の内壁および側壁と上部壁、下部壁の一部で画定される弓形溝７（図１、２、４、５Ａ、５Ｂ、６Ａ、６Ｂの実施の形態参照）を通じるように構成される。弓形溝７は、ばねクランプ６に近接する位置からタグ本体１の外部にまで延在する。この構成により、特別な弓形プローブ８を用い、ばねクランプ６に至り、ばねクランプ６を解除し、よって鋲留め４と物品をタグ本体１Ａから離す。
【００３３】
図示のように、弓形溝７は、部分的に、曲がった内壁７Ａに画定される。この壁は下部ハウジング３の内壁３Ｆから上部ハウジング２の内壁２Ｆ近くへと上方に延在する。壁７Ａは下部ハウジング３の側壁３Ｄから離間し、外側の端部７Ａ’は側壁３Ａの内側の曲がり部分３Ａ’で終わる。壁３Ａの内側の曲がり部分３Ａ’は、下部ハウジング３の側壁３Ａと側壁３Ｄの間の空間あるいはスロット９Ａとなる。
【００３４】
スロット９Ａは上部ハウジング２の側壁２Ａ、２Ｄの間の類似のスロット９Ｂと連携して、弓形溝７の外側端部７’への入口あるいはアクセスを提供する第２開口９を画定する。この入口点で、側壁２Ａは部分２Ａ’で内側に曲がり、後者の部分２Ａ’は下部ハウジング３の側壁３Ａの曲がった側壁部分３Ａ’と結合する。
【００３５】
弓形溝７は、第２の曲がった壁７Ｂ（図５Ａ、７の実施の形態参照）によりさらに画定され、上部ハウジング２の内面２Ｆから下方に延在する。壁７Ｂは、曲がった壁７Ａの内側端部７Ａ”（図７の実施の形態参照）の外側に位置し、この端部を越えてフレーム部材２Ｇへと延伸する。
【００３６】
壁７Ｂがあることで、弓形溝７の形状はその内側端部７Ａ”で変化し、その端部はばねクランプ６に近接して位置する（図７の実施の形態参照）。この形状の変化は弓形溝７用のキー溝を画定し、キー溝は弓形プローブ８を受け入れ、弓形溝７を通ってばねクランプ６へのアクセスが出来る。
【００３７】
図示のように、壁７Ｂは弓形溝７の断面を実質的に長方形の物から実質的にＬ形のものへ変える。このことは図７の断面図で示され、その断面図は図１の線Ｂ−Ｂに沿ってとられ、弓形溝７の端部の断面図が見られる。
【００３８】
図６Ａと図６Ｂとは、ある実施の形態による、ばねクランプ６と弓形溝７とを含む下部ハウジング３の図である。図６Ａ、Ｂに示す実施の形態では、弓形プローブ８は、ばねクランプ６を解除する目的で弓形溝７に受け入れらればねクランプ６へ案内されているとして示されている。図で分かるように、弓形プローブ８の先端は断面がＬ形となるようにくぼんでおり、よって弓形溝７の内側端部７”（図７の実施の形態で示される）で画定されるＬ形キー溝内にフィットする。図６Ｂに示される実施の形態では、弓形プローブ８は弓形溝７に配置されているとして示される。
【００３９】
弓形溝７の内側端部７”に近接して、上部ハウジング２と下部ハウジング３にはそれぞれさらに曲がった壁５９、１１が備えられ、曲がった壁５９、１１は側壁２Ｄ、３Ｄに突き当たる壁部５９Ａ、１１Ａで終わる（たとえば図５Ａ、６Ａ、６Ｂの実施の形態参照）。曲がった壁５９、１１は、弓形溝７の外側であり、側壁２Ｄ、３Ｄと共にトラップ領域１３を画定し、トラップ領域１３はばねクランプ６へのアクセスを防止する。このトラップ領域１３は、正当化されない物体がばねクランプ６へ到達しようとしてタグ本体１Ａの弓形溝７へ導き入れられるのを阻止する安全手段を提供する。そのような正当化されない物体は、その形状により、弓形溝にそれぞれが挿入されると、トラップ領域１３に入り込み、よってばねクランプ６に接触してタグ１を固定解除するように動かし損なう。
【００４０】
上述したように、ばねクランプ６は、鋲本体４Ｂがタグ本体１Ａから引っ込むのを解除可能に防止するようになされる。ある実施の形態では、ばねクランプ６は、弓形溝７内で移動する弓形プローブ８によって鋲本体４Ｂの解除を出来るように特別になされる。ばねクランプ６は、図６Ａ、６Ｂの実施の形態、図２の分解図および図８で詳細に示される。
【００４１】
図示したように、ばねクランプ６はばねクランプ本体１４とあご１５、１６とを含む。ばねクランプ本体１４はあご１５の横方向に延伸する取付部１４Ａとあご１６の横方向に延在する解除部１４Ｂとを含む。取付部１４Ａは、取付孔１４Ａ’を含み、あるいは、形成する。
【００４２】
各あご１５、１６は、ばねクランプ本体１４の面の外側に、そして別のあごに向けて内側に延伸する。さらに、あご１５、１６は、対面するエッジ１５Ａ、１６Ａで終わる。これらエッジは、ばねクランプ本体１４の共通のエッジ１４Ｃから互いに向けて内側に延在し、そしてそれぞれ互いから離れるように外側に曲がり、鋲本体４Ｂを受け入れるための孔１４Ｃ’（典型的には円形あるいは楕円形だが、別の実施の形態では他の形状でもよい）を画定する。エッジ１５Ａ、１６Ａは整列するように続き、ばねクランプ本体１４の細長い、横スロット１４Ｄで終わる。横スロット１４Ｄは、クランプ本体エッジ１４Ｃの反対側にある、別のクランプ本体エッジ１４Ｅの内側にある。
【００４３】
さらに横方向に延在する細長いばねスリーブ、すなわちばねアーム１７は、接続領域１８で側面１４Ｅ’またはエッジ１４Ｅに取り付けられ、取付部１４Ａを縁取る。スリーブ、すなわちばねアーム１７は、エッジ１４Ｅの長手方向に沿って延在し、ばねクランプ本体１４の面外にある。
【００４４】
ばねクランプ本体１４を取り付けて支持するのに、タグ本体１Ａの下部ハウジング３は、リップ２１Ａを有する中空の円形取付２１と、支持壁２２、２３、２４（図２、３、４の実施の形態参照）とを含む。ばねクランプ本体１４は、取付部１４Ａの取付孔１４Ａ’により、取付孔１４Ａ’に近接する取付部１４Ａの場所をリップ２１Ａ上で支持されて、取付２１上で旋回可能に取り付けられる。上部ハウジング２の円形の壁２５とこのハウジングの中央の円筒形のスタッド２６（図５Ａの実施の形態参照）とは、取付部１４Ａを回転できるようにしながら、取付部１４Ａを取り付け位置に維持する。ばねクランプ６のばねクランプ本体１４は、このように、以下でさらに充分に説明するように、取付部１４Ａ回りに旋回できる。
【００４５】
取付部１４Ａの後端１４Ａ”と、取付部１４Ａおよび解除部１４Ｂを接続するばねクランプ本体１４の横部分は支持壁２２、２４上で支持され、解除部１４Ｂは壁２３で支えられる。ばねアーム１７は、支持壁２４のスロット２４Ａに、一端１７Ａのように、少なくともその一部を置く。
【００４６】
鋲本体４Ｂの先端４Ｄが上部ハウジング２で開口２Ｈを通って下方向に導かれると、上部ハウジングの部分２Ｋ（図５Ａの実施の形態参照）は、あご１５、１６上方のばねクランプ６のばねクランプ本体１４の孔内に、あるいはその近くに、フィットするように形作られ開口２Ｈを有するが、部分２Ｋは鋲本体４Ｂをあご１５、１６の対面するエッジ１５Ａ、１５Ｂで画定される孔１４Ｃ’に向ける。このことにより、あご１５、１６は広がり、鋲本体４Ｂがあご１５、１６を通れるようになる。
【００４７】
ある実施の形態では、鋲本体４Ｂの下方への移動が所望のスロット４Ｃ、たとえば鋲頭４Ａと物品５１が上部ハウジング２の壁２Ｅとへしっかりとフィットするスロットで止まると、あご１５、１６は引っ込み、スロット４Ｃ内の鋲本体４Ｂを掴む。よって、あご１５、１６の対面するエッジ１５Ａ、１６Ａは鋲本体４Ｂのスロット４Ｃ内に配置される。この位置で、あご１５、１６が掴んでいるスロット４Ｃが鋲本体４Ｂの外径より小さな直径なので、あご１５、１６は、鋲留め４の上方向への移動を防止しあるいは移動への抵抗を与える。よって、鋲留め４と物品５１はタグ本体１Ａに、すなわちタグ１に固定される。あご１５、１６がスロット４Ｃ内で鋲本体４Ｂを掴んで鋲留め４をそこに、すなわちタグ本体１Ａに固定する、ばねクランプ６の位置は、「ロッキング位置」と称されることもある。タグ１が組み立てられたとき、ばねクランプ６のばねアーム１７はばねクランプ６をこのロッキング位置方向に付勢する。よって、ばねクランプ６が弓形プローブ８に接触していないと、ばねクランプ６はばねアーム１７によりロッキング位置に付勢される。
【００４８】
鋲留め４をタグ本体１Ａから解除するために、弓形プローブ８は弓形プローブ８の後端部８Ｂ回りの回転により、タグ本体１Ａの開口中に導かれる。このことにより、弓形プローブは、Ｌ形の前端部８Ａが弓形溝７のＬ形内側端部７”に達して入り込むまで、弓形溝７に入り、案内される。別の実施の形態では、弓形プローブ８の前端部８Ａと弓形溝７の内側端部７”とは他の形状となされ、前端部８Ａは内側端部７”を通過する（一方、異なった形状の断面を有する、正当化されないプローブや他の要素は、内側端部７”を通過することができない）。このことにより、プローブの端部８Ａは、ばねクランプ６のばねクランプ本体１４の解除部１４Ｂを縁取る共通エッジ１４Ｃの一部と接触するように動く。
【００４９】
弓形プローブ８の連続的な回転する動きは、つぎに解除部１４Ｂ上に力を及ぼす。次に、この力がばねクランプ本体１４を、取付孔１４Ａ’で取付２１上の取付部１４Ａ回りに回転させる。あご１５、１６は、このようにして、離れる方向に広がりおよび／または、一実施の形態では回転により、鋲本体４Ｂはカラー３Hにより同じ状態に保たれ、孔１４C’の壁に作用する鋲本体４Ｂの力により掴むことによる鋲本体４Ｂとの係合を外して動く。孔１４C’はこのように広がり、あるいは鋲本体４Ｂとの係合を外すように動かされ、あご１５、１６の掴みあるいは挟み込みから鋲本体４Bを解除し、よって鋲本体４Ｂと鋲留め４をばねクランプ６から固定解除する。鋲留め４は、鋲頭４Ａに作用する上向きの力で、あご１５、１６を越えて上方向に移動し、それにより鋲本体４Ｂをタグ本体１Ａから、物品５１をタグ１から引っ込め、分離する。
【００５０】
弓形プローブ８により作用する面内の力の結果としてばねクランプ６のばねクランプ本体１４の、たとえば一実施の形態では回転による、動きの間、接続部１８および／または他の場所で、ばねアーム１７はその力のために圧縮され、曲げられ、あるいは他の動きをさせられる。鋲留め４がタグ本体１Ａから離れた後、弓形プローブ８は反対方向に回転しあるいは他の動きをする。この反対方向の回転あるいは他の動きは、弓形プローブ８が弓形溝７から後退するにつれ、弓形プローブ８はばねクランプ本体１４の解除部１４Ｂから離れる。このように、ばねクランプ本体１４に作用する力は取り除かれ、ばねアーム１７は広がり、曲がりが戻り、あるいはばねクランプ本体１４をロッキング位置に向けて付勢する。このことにより、ばねクランプ本体１４は支持領域１４Ａ回りに反対方向に回転する。よって、ばねクランプ本体１４は最初の位置（あるいはその近く）である、ロッキング位置に戻り、再度物品をタグ１に取り付けるために鋲本体４Ｂが再度入るのを待つ。
【００５１】
弓形プローブ８を組み入れ、鋲留め４をタグ１から取り外すのに、上記のようにばねクランプ６のばねクランプ本体１４を回転するのに用いられる取外しアセンブリの実施の形態は４１９特許に充分に説明されており、本書に参照して引用する。タグ１のばねクランプ本体１４は、一実施の形態では、ばね用シートメタルで製造されることに留意すべきである。次に、弓形プローブ８は、ある実施の形態では、硬化した工具鋼で製造される。他の実施の形態では、ばねクランプ６、ばねクランプ本体１４、および／または弓形プローブ８で、他の材料が代用され、あるいは含まれる。
【００５２】
上述のように、ＥＡＳタグ１は、鋲留め４を解除するためのばねクランプ６へのアクセスが認可された人以外の人には困難なようになされる。しかし、ＥＡＳタグの鋲留め４からばねクランプ６を固定解除するのに、よってタグ１を固定解除するのに、ＥＡＳタグの一実施の形態では、一般的な電気用「フィッシュテープ」の曲がり片を用いて壊すことが行われてきた。フィッシュテープは比較的剛だが、導管内を電線を引っ張るのに用いられる曲がり可能なスチールワイヤである。一実施の形態では、受面、すなわち受面と板ばねとを備えるばねゲートがタグ１の弓形溝７内に配設され、タグ１を固定解除するのにフィッシュテープを使用することの困難性を高める。使用する受面とばねゲートの例は、図１４、１５に関して以下に説明する受面２５４とばねゲート２６５の実施の形態を含む。
【００５３】
図７に示す実施の形態を参照すると、プローブ８がタグ１の弓形溝７に挿入された、図１のＥＡＳタグ１を通る断面Ｂ−Ｂが示される。図７は、一実施の形態における上部ハウジング２と下部ハウジング３の異なった溶接箇所をも示す。ディタッチャの実施の形態は４１９特許および米国特許第５，５３５，６０６号で充分に説明される。ディタッチャにてしっかりとタグ１を保持しないことにより、タグ１は鋲留め４を解除せず、引き離しを繰り返さなければならず、弓形プローブ８のタグ１に対するわずかな鉛直方向のずれが損傷を引き起こす。しかし受面２５４が所定の位置で、L形開口２５８（以下に説明する）の狭い水平部分を有するのであれば、わずかな鉛直方向のずれは、端部８Ａの近くの弓形プローブの部分（Ｌ形断面を有する）が開口２５８の水平部分に当らず、受面２５４の固い部分と当たりタグ１および／またはディタッチャを損傷することがある。端部８Aの近くで弓形プローブ８の鉛直部分と開口２５８の鉛直部分とを整列することについては、タグ１をディタッチャにきっちりと水平方向で入れることにより正確に制御されるので、一実施の形態では、あまり関心がない。
【００５４】
図８の実施の形態は、ばねクランプ６、すなわちばねクランプの詳細を説明し、本明細書で上記に説明したように、要素１４、１５、１６、１７を含む。様々な実施の形態で、ばねクランプ６が配置されるタグ１の部分と一緒に、ばねクランプ６は代替の形状となされる。
【００５５】
たとえば、一実施の形態では、ばねクランプ６は取付孔１４Ａ’を含まず、タグ１は取付２１を含まない。この実施の形態では、タグ１のタグ本体１Ａが、ばねクランプ６の側面１４Ｇ、１４Ｈの一つの近くに、それと平行に位置する面をそれぞれ有するガイドを含む。この位置関係のため、ガイドはばねクランプの動きをばねクランプ６のガイドの面と側面１４Ｇ、１４Ｈとに実質的に平行な直線方向に制限する。よって、弓形プローブ８がばねクランプ６に接触すると、ばねクランプ６は、鋲留め４（恐らく物品５１と）が固定される位置から直線的に離れるように動くようになされる。ガイドは、壁や他の構造でよく、タグ１の上部ハウジング２および下部ハウジング３の１つと一体にされてもよい。
【００５６】
種々の他の実施の形態では、他のガイド接触面を用いてばねクランプの動きを直線方向にアシストする。たとえば、ばねクランプ６は、ばねクランプ本体１４に形成される１組のスロットを有してもよい。そのスロットは、ばねクランプ本体１４の側面１４Ｇ、１４Ｈに平行である。スロットは、下部ハウジング３あるいはタグ１の他の部分に形成される対応ガイドレールに適合する。スロットとレールの接触面は、ばねクランプ６を直線方向に動かすのをアシストする。別の実施例では、下部ハウジング３は、ばねクランプ６の対応する側面１４G、１４Hに接触する一対のガイドポストを有してもよい。ガイドポストは、ばねクランプ６の直線状の動きを強める一方、回転の動きを制限するように配置される。さらに別の実施例では、ばねクランプ６は側面１４G、１４Hに取り付けられるフランジを有してもよい。この実施の形態では、下部ハウジング３はフランジを収容する一対の対応スロットを有し、回転運動を防止しあるいは制限しつつフランジが直線状に動くようにする。実施の形態は、これらのものや、ばねクランプ６の側面１４G、１４Hに平行でもそうではなくても、ばねクランプ６を直線方向にガイドするのをアシストする他の構造に制限されない。
【００５７】
別の実施の形態では、ばねクランプ６とタグ１は、ばねクランプ６が弓形プローブ８との接触力で直線と回転の動きの組合せで動くように構成される。たとえば、タグ１は、ばねクランプ６の初期の動きを側面１４G、１４Hに平行な直線方向に制限するガイドポストを含む。つぎに、ばねクランプ６がガイドポストを直線状に通り過ぎて動いた後に、ばねクランプ６は、たとえば接続部１８の近くの点あるいは部分回りに回転する。このタグ１の実施の形態は、取付孔１４Ａ’あるいは取付２１を含まない。
【００５８】
別の実施の形態では、タグ１は、ガイド（複数）、取付２１、および取付孔１４Ａ’を含むばねクランプ６を含む。弓形プローブ８の固定解除する力が作用すると、ばねクランプ６は、取付孔１４Ａ’回りにわずかに旋回することによりロッキング位置から外れて、他の場合には、回転と直線状の動きの組合せ用のガイドポストに沿って直線状に動くように付勢される（あるいは、ばねクランプ６の一部は変形により直線状に動く）。
【００５９】
別の実施の形態では、ばねクランプは、鋲留め４をロッキング位置に保持するあごを有するクラッチロックである。クラッチロックは、タグの下部ハウジングの表面に面する凹面付きの凹面断面を有する。あごは、クラッチロックの断面をより徐々に曲がりあるいはまっすぐにするようにクラッチロックのあごを最初の形状より少なくとも部分的に曲げるディタッチャを用いて、クラッチロックのあごを曲げることにより分かれて広がる、。この曲げにより、あごは、ロッキング位置から外れて動き、鋲留め４の鋲本体４Bはあごから動き、タグ本体から固定解除される。この実施の形態では、ディタッチャは弓形プローブを含まず、代わりに、センサーマティック社（Ｓｅｎｓｏｒｍａｔｉｃ）のＧａｔｏｒ（登録商標）やＵｌｔｒａ＊Ｇａｔｏｒ（登録商標）や他のタイプの防犯タグのもののような、ラッチ解除機構とタグ本体構造とを含み、タグ本体にインクを内包するインク瓶室を含むように改良され、場合によっては、たとえばタグ１に関して本書で説明するような、インクルーティング構造を含むように改良される。
【００６０】
種々の他の実施の形態のそれぞれにおいて、保持装置はばねクランプでなくてもよいが、鋲留め４をロッキング位置に保持する他の装置を含み、鋲留め４をタグ本体に固定する。そのタグは、保持装置がタグ本体に配設されるように設計される。一実施の形態では、保持装置は２つ以上のボールを有するボールクラッチを含む。たとえば、一実施の形態では、タグは、鋲留めをロッキング位置に保持する３−ボールクラッチを有するセンサーマチック社のＡＭＴ−１０００型タグと類似する。そのタグは、タグ本体にインク瓶室を含むように改良されてそこにインクを内包し、たとえば、タグ１に関して本書で説明したような、場合によってはインクルーティング構造を含む。ボールクラッチは、ある実施の形態では磁気的に作動でき、磁気ディタッチャはボールクラッチを磁力でロッキング位置から外す。
【００６１】
そのような別の実施の形態では、保持装置はくさびを含み、くさびはバイアス部材によりロッキング位置に付勢されて鋲留め４をタグ本体に固定する。たとえば、図１６の実施の形態は、くさび４０６を有するＥＡＳタグである、タグ４０１の部分の斜視図を示す。タグ４０１は、くさび４０６とバイアス部材４１０とを含むタグ本体４０１を含む。バイアス部材４１０は、バイアス部４２０を含み、バイアス部４２０は板ばねでよい。他の実施の形態では、バイアス部４２０は別のタイプのばねでもよく、あるいはくさび４０６をロッキング位置に付勢するように構成された他の構造でもよい。
【００６２】
タグ本体４０１Ａは、インクを内包するインク瓶室を、場合によっては、たとえばタグ１に関して本書で説明したように、インクルーティング構造を含むような形と大きさとされる。くさび４０６、バイアス部材４１０およびタグ本体４０１Ａは、バイアス部材４１０がくさび４０６に近接して配置され、くさび４０６をロッキング位置に向け、またその中へ付勢する。この機構は、図１７〜１９のタグ４０１の実施の形態の内部の側面図に関して、以下に説明される。
【００６３】
図１７の実施の形態では、バイアス部材４１０は、鋲留め４が部分的に挿入されたタグ本体４０１Ａの開口を少なくとも部分的に横断するようにくさび４０６を付勢する。図１８の実施の形態では、鋲留め４はタグ本体４０１Ａにさらに挿入されて、鋲留め４の一部がくさび４０６を超えて押し込まれる。くさび４０６とバイアス部材４１０の位置のために、くさび４０６はバイアス部材４１０により少なくとも部分的に鋲留め４の溝４Ｃへと、よってロッキング位置へと付勢される。このロッキング位置にあるときに、くさび４０６は鋲留め４がタグ本体４０１Ａから離れるのを防止し、あるいは困難性を増大する。図１９の実施の形態では、くさび４０６は、ディタッチャによりバイアス部材４１０の付勢力に逆らってロッキング位置から外れて動かされる。くさびは磁力で作動でき、適当な磁気ディタッチャがくさび４０６をロッキング位置から外れて動かす。
【００６４】
再び図２を参照すると、タグ１はインク瓶７２Ｂをさらに含み、インク瓶７２Ｂはタグ１内に配設される。タグ１は、頂部ブレーカプレート７１（図９〜１２に示す）と底部ブレーカプレート７３のような、１つ以上のブレーカプレートをも含む。ある実施の形態では、タグ１は空気袋７２Ａを含む。要素７１、７２Ａ、７２Ｂ、７３の実施の形態を以下に説明する。種々の実施の形態では、これらの要素の組合せがタグ１に含まれる。たとえば、タグ１は、たとえば以下の組合せのような、要素７１、７２Ａ、７２Ｂ、７３の１つあるいは複数を含む。インク瓶７２Ｂだけ、インク瓶７２Ｂとブレーカプレート７１、７３の１つあるいは両方、インク瓶７２Ｂとインク袋７２Ｂとブレーカプレート７１、７３なしあるいは１つあるいは両方。
【００６５】
図９は、図１の線Ｃ−Ｃに沿ってみた、タグ１の断面図を、一実施の形態による頂部ブレーカプレート７１、底部ブレーカプレート７３およびインク瓶７２Ｂをその中に配置して、示す。タグ１は、以下に説明するように、少なくとも一部がインク瓶７２Ｂの周囲に配置された空気袋７２Ａを含む。
【００６６】
図９を参照すると、図９は頂部ブレーカプレート７１を示し、頂部ブレーカプレート７１は押圧され、あるいはタグ１の上部ハウジング２の内面２Fに近接して配置される。インク瓶７２Bと底部ブレーカプレート７３は底部ハウジング壁３Ｅの内面３Ｆの位置に、あるいは近接して配置される。一実施の形態では、上部ハウジング２の内面２Ｆと下部ハウジング３の内面３Ｆは、頂部ブレーカプレート７１、底部ブレーカプレート７３を受け入れる上部ブレーカプレート室８１、下部ブレーカプレート室８３をそれぞれ画定するように形作られる。内面２Ｆ、３Ｆは、インク瓶７２Ｂを受け入れるタグ本体１Ａの小瓶室を形成するように形作られ、上部小瓶室部分９２（図５Ａの実施の形態参照）と下部小瓶室部分９４（図２、４、６Ａ，６Ｂの実施の形態参照）をそれぞれ含む。別の実施の形態では、タグ本体１Ａは、別の方法で小瓶室を含む。たとえば、種々の実施の形態では、小瓶室は、小瓶７２Ｂを配設できるタグ本体１Ａのいかなる空間でもよく、小瓶室は、閉じられていても、閉じられていなくても、あるいは以下に説明するようにそこから延在する溝７５以外は閉じられていてもよい。
【００６７】
頂部ブレーカプレート７１および底部ブレーカプレート７３のそれぞれは、インク瓶７２Ｂに近接して配置される。一実施の形態では、頂部ブレーカプレート７１と底部ブレーカプレート７３とがインク瓶７２Ｂに近接して配置され、それらは反対側に、あるいはインク瓶７２Ｂが少なくとも部分的に管状である実施の形態ではインク瓶７２Ｂまわりに互いに約１８０度の位置に配置されることで、インク瓶７２Ｂを「サンドウィッチ」する。
【００６８】
すべての要素（要素７１、７２Ａ、７３Ｂ、７３）は、一実施の形態の通常の位置で示される。この実施の形態では、要素７１、７２Ａ、７２Ｂ、７３は、以下に説明するように、誰かがタグを壊そうとするまでは、通常の位置のままである。これらの要素は、センサ５の近くに配置される。別の実施の形態では、これらの要素は別の位置に配置されてもよい。
【００６９】
インク瓶７２Ｂは少なくとも部分的に管状あるいは別の形状で、インク９６を完全に閉じ込める。インク瓶７２Ｂは、タグ１を切り取ろうとしたりタグ１からセンサ５を取り外そうとしたりするユーザの試みにより生ずる力のような外力を受けたときに、破壊するのに十分なだけ脆性であるようにガラスあるいは他の材料を含む。
【００７０】
頂部ブレーカプレート７１および底部ブレーカプレート７３は面（たとえば図２の底部ブレーカプレート面７３Ａ参照）を有する、薄く、細長い要素である。たとえば、ある実施の形態では、頂部ブレーカプレート７１および底部ブレーカプレート７３は、それぞれ長方形の頂部、底部ブレーカプレート面と薄い断面を有し、少なくとも部分的に直方体のような形状になされる。そのような形状になされると、頂部ブレーカプレート７１および底部ブレーカプレート７３は、タグ本体１Ａで取り付けられたときに小瓶７２Ｂを（上記のように）「サンドウィッチ」するように配置される実施の形態では、頂部ブレーカプレート７１および底部ブレーカプレート７３の頂部、底部ブレーカプレート面は平行あるいは平行に近くなる。
【００７１】
ある実施の形態では、頂部ブレーカプレート７１および底部ブレーカプレート７３の面は、少なくとも部分的に管状の形状のインク瓶７２Ｂの軸方向長さと近い長さおよび直径に近い幅とされる。頂部ブレーカプレート７１および底部ブレーカプレート７３のそれぞれのこのような形状は、以下に説明するように、インク瓶７２Ｂの軸方向長さに沿ったいろいろな位置での、上部ハウジング２の上部壁２Ｅと下部ハウジング３の下部壁３Ｅとによる外力によりインク瓶７２Ｂを破壊するのを容易にする。
【００７２】
別の実施の形態では、頂部ブレーカプレート７１と底部ブレーカプレート７３およびインク瓶７２Ｂは、小瓶７２Ｂの長手方向の種々の位置における外力により頂部ブレーカプレート７１と底部ブレーカプレート７３とがインク瓶７２Ｂを破壊するような他の形状とされる。頂部ブレーカプレート７１と底部ブレーカプレート７３はそれぞれ、力が加わったときにインク瓶７２Ｂを破壊するのを容易にする材料を含む。たとえば、ある実施の形態では、頂部ブレーカプレート７１と底部ブレーカプレート７３はそれぞれアルミニウムを含む。別の実施の形態では、頂部ブレーカプレート７１と底部ブレーカプレート７３は別の金属および／またはプラスチックや他の材料を含む。
【００７３】
このように、タグ１はＥＡＳ／不利益物質排出システム用のタグであり、インク瓶７２Ｂは、要素７１、７２Ａ、７３の１つ以上と一緒に、利益拒否（benefit  denial）用である。タグ１はインク瓶７２Bにインク９６を含むことでそのようにして、タグのＥＡＳ部分、すなわち、センサ５が不能にされるのを防ぎ、あるいは誰かが不能にするのをやめさせる。このことは、２つの実施の形態で、２つの異なった方法あるいは構成で実行される。
【００７４】
第１の方法とその構成は、一実施の形態による図９〜１２、１２Aのタグ１に示す。図９は、それぞれがタグ１内に配設されたインク瓶７２B、空気袋７２Ａ、ブレーカプレート７１、７３を示す。インク瓶７２Ｂは、少なくとも部分的に空気袋７２Ａ内に配設される。空気袋７２Ａは、ゴムか、弾性材料あるいはブレーカプレート７１、７３の１つか両方の破壊する力を受けたときにインク瓶７２Bが壊れるより前に壊れないような材料で作られる。インク瓶７２B、空気袋７２Ａ、ブレーカプレート７１、７３の１つか複数は、壁３Gのエネルギ導波器か他の手段により壁２Gに超音波溶着された溝ポケットで完全にシールされる。他の実施の形態では、インク瓶７２B、空気袋７２Ａおよびおそらく１つか両方のブレーカプレート７１、７３は、タグ１の閉じられたあるいは閉じられていない部分に配設される。
【００７５】
インク瓶７２Bは、タグ１からセンサ５を切り離したり取り除いたりしようとすると、その試みがインク瓶７２Bを壊し、インク９６がタグ１から流出し物品５１あるいはタグ１が保護している他の物品を着色するように、センサ５の横のように、センサ５に近接して配設される。
【００７６】
図１０は、一実施の形態による、図１の線Ｄ−Ｄに沿ったタグ１の図を示す。この実施の形態では、インク瓶７２Ｂは溝（流路）７５の近くに一端９８を位置し、溝７５は小瓶室（上部小瓶室部分９２と下部小瓶室部分９４を含む）からタグ本体１Ａの外側に延在し、よってタグ本体１Ａに孔７４を形成する。孔７４は、タグ１の上部ハウジング３の囲まれた場所２Ｉにある。インク瓶７２Ｂが壊れた後、以下にさらに詳細に説明するように、その中のインク９６の少なくとも一部は溝７５を通って孔７４の外、すなわちタグ１の外へと流される。
【００７７】
よって、溝７５とそれが形成する孔７４とは、タグ１のインクルーティング構造の一部である。インクルーティング構造は、種々の実施の形態において、インク瓶７２Bと場合により小瓶室と空気袋７２Ａ、および／またはブレーカプレート７１、７３のいずれかあるいは両方をさらに含む。
【００７８】
一実施の形態では、インクルーティング構造の小瓶室は、小瓶室からタグ本体１Ａの外側に延在する溝７５を除いて、インク瓶７２Ｂを完全に閉じ込める。よって溝７５は、インク瓶７２Ｂが壊されたときにインク９６が小瓶室から外に出る唯一の通路となる。よって、たとえば、上部小瓶室部分９２と下部小瓶室部分９４が一緒に固結されて、タグ本体１Ａの外側に延在する溝７５の始点を形成し、あるいはインク瓶７２Ｂを完全に取り囲む。上部小瓶室部分９２と下部小瓶室部分９４は、超音波あるいは他の溶着あるいは固結手段などの種々の方法で固結され、あるいは一体で形成される。
【００７９】
図１１は、線Ｃ−Ｃに沿った図１のタグ１の断面図を示し、はさみや他の切断具あるいはタグ１を圧迫あるいは絞り込む道具の力により、ブレーカプレート７１、７３で、インク瓶７２Ｂが壊されているところである。その力により、上部ハウジング２の内面２Fと下部ハウジング３の内面３Fがブレーカプレート７１、７３を押し込み、ブレーカプレート７１、７３が空気袋７２Ａ（空気袋７２Ａが含まれる実施の形態において）を絞り込み、その下のインク瓶７２Bを壊す。インク瓶７２Bが壊れると、インク瓶７２Bからのインク９６は溝７５に流れ込み（図１２および図１２Ａ（図１２のタグ１の線Ｅ−Ｅに沿った横断図を示す）の実施の形態参照）、囲まれた場所２Ｉの孔７４から出て、保護される物品を着色する。別の実施の形態では、孔７４（および溝７５も）は他の形状にされ、および／またはタグ１の別の場所に配置される。たとえば、一実施の形態では、孔７４はタグ本体１Ａの外面（たとえば、表面２Ｊのどこか）の他の部分に形成され、溝７５はインクをインク瓶７２Ｂから孔７４でタグ本体１Ａの外側に導く形状となされる。
【００８０】
溝７５は、インク瓶７２Ｂおよび／または小瓶室から孔７４へ至るどのような流路でも他の通路でもよい。インク瓶７２Ｂが壊れると、その中のインク９６は、溝７５を通って孔７４から外へと破壊する力に推進される。空気袋７２Ａを含むタグ１の実施の形態では、空気袋７２Ａは、インク瓶７２Ｂの一部を除いて全部の周囲に配設される。空気袋７２Ａに囲まれない、すなわち露出する、インク瓶７２Ｂのその一部は、インク瓶７２Ｂの端部９８とその近くの部分である。その露出した部分は、インク瓶７２Ｂの全体の外表面積のうちの僅かなパーセンテージであり、あるいは別の部分でもよい。ある実施の形態では、インク瓶７２Bの露出した部分は、溝７５に近接して配置される。よって、つぶされたインク瓶７２Bにより押し出されるインク９６は、インク瓶７２Bの露出されない部分から溝７５内に向けられ、孔７４から物品５１あるいは保護される他の物品上へのインク９６の動きを容易にして物品を着色する。
【００８１】
このように、タグ１の溝７５と孔７４、および場合により空気袋７２Ａも、また場合によいブレーカプレート７１、７３のいずれかもしくは両方も、本実施の形態では、インク瓶７２Ｂのインク９６である不利益物質を、タグ１から物品５１あるいは保護される他の物品上へ押し出すのを容易にする。
【００８２】
図１３の実施の形態で示す別の方法とその構成では、たとえばはさみ９９などでタグ１を切りタグ１のＥＡＳ部分（たとえば、センサ５）を使えなくしようとすると、インク９６あるいは他の不利益物質がインク瓶７２Ｂから溝７５へ、孔７４から、また図１３に示されるように、タグ本体１Ａが切られたタグ本体１Ａから直接押し出される。インク９６は物品５１あるいは他の物品と盗難者までを着色する。図１３の他の実施の形態では、タグ１は、１つ以上の空気袋７２Ａ、いずれかあるいは両方のブレーカプレート７１、７３、孔７４および溝７５を含んでも含まなくてもよい。
【００８３】
よって、たとえば、一実施の形態では、タグ１は空気袋７２Ａ、孔７４および溝７５のいずれかを含まず、よってインクルーティング構造を含まなくてもよい。タグ１がタグ本体１Ａをはさみや他の切断具で切断され、インク瓶７２Ｂが壊された、この実施の形態では、その中のインク９６はタグ１からタグ１が保護している物品へまたおそらく切断具の使用者へも押し出される。このような実施例の別の例は図１５のタグ３０１（以下に説明する）であり、空気袋、孔、溝を含まず、またブレーカプレートも含まない。
【００８４】
図１４は、ＥＡＳタグである、タグ１０１の別の実施の形態を図示し、タグ１０１は一実施の形態によればインクルーティング構造を含む。タグ１０１は、２つのブレーカプレート、すなわち頂部ブレーカプレート１７１と底部ブレーカプレート１７３とを含む。タグ１０１はまた、センサ１０５を含む。センサ１０５は、１つ以上の線形アモルファス共振器１０５Ｂと、場合によっては磁化されたバイアス１０５Ａとを含み、この場合にはタグ１０１は１つ以上の線形アモルファス共振器１０５Ｂと磁化されたバイアス１０５Ａが配設されるセンサ室２０２を含む。センサ室２０２は、１つ以上の線形アモルファス共振器１０５Ｂを磁化されたバイアス１０５Ａから離した位置にするように構成される。
【００８５】
図１４では、タグ１の要素１０２、１０２Ａ〜１０２Ｅ、１０２Ｈ〜１０２Ｊ、１０３、１０３Ａ、１０３Ａ’、１０３Ｂ〜１０３Ｈ、１０６、１０７、１０７’、１０７A、１０７Ａ’、１０９、１０９Ａ、１１１、１１１Ａ、１１３、１１４、１１４Ａ、１１４Ａ’、１１４Ａ”、１１４Ｂ、１１４Ｃ、１１４C’、１１４Ｄ、１１４Ｅ、１１４Ｅ’、１１５、１１５Ａ,１１６、１１６Ａ、１１７、１１７Ａ、１１８、１２１、１２１Ａ、１２２〜１２４、１２４Ａ、１５９、１５９Ａ、１７１、１７２Ａ、１７２Ｂ、１７３、１７３Ａ、１８３、１９４、１９６は、前の図１〜１２、１２Ａのタグ１の実施の形態の要素２、２Ａ〜２Ｅ、２Ｈ−２Ｊ、３、３Ａ、３Ａ’、３Ｂ−３Ｈ、６、７、７’、７Ａ、７Ａ’、９、９Ａ、１１、１１Ａ、１３、１４、１４Ａ、１４Ａ’、１４Ａ”、１４Ｂ、１４Ｃ、１４Ｃ’、１４Ｄ、１４Ｅ、１４Ｅ’、１５、１５Ａ、１６、１６Ａ、１７、１７Ａ、１８、２１、２１Ａ、２２−２４、２４Ａ、５９、５９Ａ、７１、７２Ａ、７２Ｂ、７３、７３Ａ、８３、９４、９６に対応する。タグ１０１は、図１〜１２、１２Ａのタグ１の要素１Ａ〜１Ｃ、２Ａ’、２Ｆ〜２Ｇ、２Ｋ、４、４Ａ〜４Ｄ、７”、７Ａ”、７Ｂ、９Ｂ、８１、９２に対応する、図１４で不図示の１つ以上の要素をも含む。一実施の形態では、タグ１０１は、本書で説明する孔７４および溝７５に対応する要素を含むインクルーティング構造を含む。タグ１０１は、タグ１に関してあるいは別の方法で本書で説明するように、組み立てられ、接合されあるいは固結される。
【００８６】
一実施の形態では、タグ１０１は、少なくとも一部が弓形溝１０７内に配設される、ばねゲート２６５を含む。ばねゲート２６５は、受面２５４と板ばね２６４とを含む。ばねゲート２６５の受面２５４と板ばね２６４とは一体に形成されてもよい。ばねゲート２６５は、一実施の形態ではプラスチックで、別の実施の形態では他の材料（単数あるいは複数）で形成される。
【００８７】
一実施の形態では、受面２５４は、実質的にL形の開口を形成する鉛直と水平の開口２５８を有する、実質的に平面で剛な部材である。この実施の形態では、弓形プローブ８は、本書で説明するように、その先端８Ａにあるいはその近くに対応するＬ形断面を含む。受面２５４は弓形溝１０７に配設され、開口２５８の「Ｌ」の鉛直部分は、弓形プローブ８が弓形溝７の挿入されるとき弓形プローブ８のＬ形の鉛直部材がきっちりと通過することができる大きさと位置にされ、ばねクランプ１０６に接触し、解除あるいは固定解除する。
【００８８】
受面２５４はまた、たとえば上述のフィッシュテープのような、実質的に弓形プローブ８の形状に形成されるがＬ形断面を有さない、比較的剛なワイヤがばねクランプ１０６を解除するほどに深く弓形溝１０７に挿入されることを防止し、あるいはより困難にする。
【００８９】
受面２５４は、形成ワイヤを捕捉し、その形成ワイヤが弓形溝１０７にさらに挿入されてばねクランプ１０６に接触するのを防止するためのキャッチ２６６を含む。キャッチ２６６は、板ばね２６４の端部の曲がった部分でもよい。受面２５４はタグ本体１０１Ａ中に鋳込まれてもよく、キャッチ２６６を弓形溝１０７の壁、たとえば内壁１０７Ａに、受面２５４で開口２５８の「Ｌ」の鉛直部分の前で、押し付ける。
【００９０】
弓形プローブ８のＬ形断面部分の水平部材は、弓形プローブ８が弓形溝１０７に挿入されるとバイアスを押し、キャッチ２６６は受面２５４の開口２５８の鉛直部分から離れるように押され、弓形プローブ８がそこをきっちりと通り抜けるようにする。
【００９１】
他の実施の形態では、上述のように、弓形プローブ８は別の形状を含んでもよい。これらの実施の形態では、受面２５４は、実質的にその別の形状を含みあるいは弓形プローブ８のその別の形状が通過できるような開口２５８を含み、一方フィッシュテープあるいは他の剛なワイヤがそこを超えてばねクランプ１０６まで延伸しばねクランプ１０６をロッキング位置から外すのを防止しあるいは困難性を増大する。
【００９２】
図１５は、一実施の形態によるＥＡＳタグであるタグ３０１の分解図である。上述のように、タグ３０１は、インクルーティング構造を含まないＥＡＳタグの実施の形態である。この実施の形態では、タグ３０１は、ブレーカプレートをも含まない。タグ３０１は、空気袋１７２Ａ、孔１７４、溝１７５を除いて、図１４の符号付要素を含む。タグ３０１は、頂部ブレーカプレート１７１と底部ブレーカプレート１７３をも含まない。よって、タグ３０１がタグ本体（図１〜１２および１２Ａのタグ本体１Ａに相当）を、たとえばはさみや他の切断具で切断され、インク瓶１７２Ｂが壊されたときに、その中のインク１９６は直接、瓶１７２Ｂからタグ本体１Ａが切られたタグ１を出てタグ３０１が保護する物品上へ、おそらく切断具のユーザへも押し出される。
【００９３】
別の実施の形態では、本書で説明するＥＡＳタグの実施の形態のあるものは、インク瓶７２Ｂあるいは他の小瓶のインク９６に加え、あるいは、代わりに、不利益物質を含む。不利益物質は、インクでも、染料でも、悪臭の物質でも、前記３物質の組合せでも、および／または、布のような物品を永久的に着色しおよび／または汚す他の物質でもよく、物品を魅力のない、それにより一般的に着用に適さなくする。不利益物質は、毒性がなくおよび／または不燃性でもよい。
【００９４】
よって、インク瓶７２Ｂは、上記の実施の形態のいずれにおいてでも、不利益物質を内包する小瓶で置き換えられる。小瓶は、不利益物質を完全に封じ込めるいかなる大きさのいかなる形状の容器でもよく、小瓶室は、恐らく小瓶室から延在する溝を除いて、小瓶を閉じ込めるのに相当する形状と大きさである。このような場合には、インクルーティング構造は不利益物質用ルーティング構造と呼ばれ、不利益物質がＥＡＳタグに内包される。
【００９５】
別の実施の形態では、不利益物質は、本書で説明するＥＡＳタグの実施の形態のタグ本体に直接内包されてもよい。よって、不利益物質は小瓶に内包されず、タグ本体の閉じた部分に内包される。
【００９６】
種々の他の実施の形態では、本明細書で説明する不利益物質ルーティング構造の実施の形態のあるものが、本書で説明される以外の防犯タグおよび他の装置で使用される。よって、たとえば、一実施の形態では、鋲留め（たとえば、鋲留め４）とばねクランプ（たとえば、ばねクランプ６）を含むもの以外のロック機構を有する、および／または弓形溝（たとえば、弓形溝７）を含まない防犯タグは、不利益物質用ルーティング構造を含む。同様に、弓形プローブ（たとえば、弓形プローブ８）を含む取り外し機構を有さない防犯タグは、不利益物質用ルーティング構造を含む。このような防犯タグは、不利益物質を内包する小瓶を含む小瓶室と、小瓶室からタグ本体の外側まで延在してタグ本体に孔を形成する溝とを有するタグ本体を含む。そのような防犯タグは、小瓶の一部以外すべての周囲に配設される空気袋と、１つ以上のブレーカプレートも含む。
【００９７】
種々の他の実施の形態では、ＥＡＳタグ１、１０１、３０１のような、本書で説明したＥＡＳタグの実施の形態のあるものは、センサ５のようなセンサを含まなくてもよい。センサを含んでも含まなくても、タグの実施の形態は「防犯タグ」と称される。
【００９８】
一実施の形態では、ＥＡＳタグは、以下の部分の１つ以上を含む：タグ本体；前記タグ本体を物品に取り付ける手段であって、前記タグ本体に受け入れられる部分を有する取付手段；前記取付手段の前記部分が前記タグ本体から引っ込むのを解除可能に防止する前記タグ本体内の手段；前記タグ本体の外部から前記防止する手段につながる弓形溝を画定するタグ本体内の手段であって、前記弓形溝は弓形プローブを受け入れて弓形プローブを前記防止手段に案内するようになされ、前記防止手段を前記取付手段の前記部分が前記タグ本体から引っ込むのを防止することから解除する、タグ本体内の手段；検出可能なＥＡＳセンサ。その改良点は次の特徴を有する：比較的剛なワイヤが前記防止手段を解除するほど深く前記弓形溝内に入り込むことを防止する、弓形溝内の受面手段であって、剛なワイヤが前記弓形プローブの弓形に実質的に形成されている。
【００９９】
ＥＡＳタグの一実施の形態では、受面手段は実質的に平らで剛な部材で、対応する前記弓形プローブの「Ｌ」形を受け入れる実質的に「Ｌ」形の開口を形成する鉛直と水平の開口を有し、その剛な部材は前記弓形溝内で実質的に垂直に配置され、前記鉛直の開口は、前記弓形プローブが前記弓形溝に挿入されて前記防止手段を解除するときに、前記弓形プローブの前記「Ｌ」形の鉛直部材がきっちりと通過できる大きさと位置とされる。
【０１００】
一実施の形態では、ＥＡＳタグの受面手段は、剛なワイヤの挿入を防止するためのばねゲートアセンブリを含み、そのばねゲートアセンブリは、剛なワイヤを捕捉し該ワイヤが前記弓形溝にさらに挿入されるのを防止するキャッチ手段を備え、前記キャッチ手段はばね部材の一端に配設され、前記ばね部材は前記タグ本体に取付け可能で前記キャッチ手段を前記弓形溝の壁に対し前記剛な部材の鉛直開口の前において押し付け、前記「L」形の弓形プローブの水平部材は、前記弓形プローブを前記弓形溝に挿入すると前記ばね部材のバイアスを押し、前記キャッチ手段は前記剛な部材の前記鉛直の開口から離れる方向に押され、前記弓形プローブがきっちりと通過できるようにする。一実施の形態では、ＥＡＳタグのキャッチ手段は前記ばね部材の端部の曲がり部分である。
【０１０１】
取付けアセンブリを解除するためＥＡＳタグの弓形溝に挿入されるようになされた弓形プローブの形状に形成された比較的剛なワイヤの挿入を防止するのに用いられる剛で平らな受面の一実施の形態では、剛で平らな受面は弓形溝に配置でき、弓形プローブの「L」形に対応する「L」形を形成する鉛直と水平の開口を有する実質的に平らで剛な部材を備え、「L」形の弓形プローブの鉛直部材は、前記剛な部材の「Ｌ」形開口の鉛直の開口をきっちりと通過する。ある実施の形態では、受面は剛なワイヤの挿入を防止するばねゲートアセンブリを含み、前記ばねゲートアセンブリは剛なワイヤを捕捉してそのワイヤが弓形溝にさらに入り込むのを防止するキャッチ手段を備え、前記キャッチ手段はばね部材の一端に配設され、前記ばね部材はＥＡＳタグ本体に取付け可能で、前記キャッチ手段を前記弓形溝の壁の凹部に前記剛な部材の鉛直の開口の前において押し付け、前記「Ｌ」形の弓形プローブの水平部材は前記弓形プローブが前記弓形溝に挿入されると前記ばね部材のバイアスを押し、前記キャッチ部材は前記剛な部材の鉛直の開口から離れる方向に押されて前記弓形プローブがきっちりとそこを通過できるようにする。
【０１０２】
取付けアセンブリを解除するためＥＡＳタグの弓形溝に挿入されるようになされたプローブの形状に形成された比較的剛なワイヤの挿入を防止するのに用いられる剛で平らな受面の一実施の形態では、剛で平らな受面は弓形溝に配置でき、弓形プローブの「Ｌ」形に対応する「Ｌ」形を形成する鉛直と水平の開口を有する実質的に平らで剛な部材を備え、「Ｌ」形のプローブの鉛直部材は、前記剛な部材の「Ｌ」形開口の鉛直の開口をきっちりと通過する。受面は剛なワイヤの挿入を防止するばねゲートアセンブリをさらに含み、前記ばねゲートアセンブリは、剛なワイヤを捕捉してそのワイヤが弓形溝にさらに入り込むのを防止するキャッチ手段を備え、前記キャッチ手段はばね部材の一端に配設され、前記ばね部材はＥＡＳタグ本体に取付け可能で、前記キャッチ手段を前記弓形溝の壁の凹部に前記剛な部材の鉛直の開口の前において押し付け、前記「Ｌ」形のプローブの水平部材は前記プローブが前記弓形溝に挿入されると前記ばね部材のバイアスを押し、前記キャッチ手段は前記剛な部材の鉛直の開口から離れる方向に押されて前記プローブがきっちりとそこを通過できるようにする。
【０１０３】
種々の実施の形態において、ＥＡＳ／不利益物質排出システムタグは、前述の特徴のいくつかまたはすべてを連合させるだけではなく、利益拒否（Benefit Denial）型製品の特徴である第３の特徴を加える。タグのＥＡＳ部が使えなくされるのを防ぐ「インク」特徴を加えることにより、このことをなしうる。このことは、少なくとも２つの別の方法により行われる。一実施の形態で図９に示すような第１の方法では、インク瓶７２Ｂがブレーカプレート７１、７３に沿って、ゴムの空気袋７２Ａの内側に包まれ、壁３Ｇのエネルギ導波器により壁2Ｇに超音波溶着される溝ポケットに完全にシールされる。図１１は、上記のように、一実施の形態によりブレーカプレート７１、７３によりインク瓶７２Ｂが壊されるところを示す。このことが起きると、インク瓶７２Ｂからのインクは溝７５に流れ（たとえば図１２参照）、囲まれた場所２Ｉで孔７４から流出し、保護される物品を着色する。よって、一実施の形態により図１２に示されるように、もし図１のＥＡＳタグを切断しタグのＥＡＳ部分を使えなくしようとすると、不利益物質（たとえば、インク）がゴムの空気袋７２Ａの下のインク瓶７２Ｂから溝７５、そして孔７４から外へ押し出され、そして物品とおそらく盗難者をも着色する。
【０１０４】
第２の方法は図１３に示され、図１３は、図１のＥＡＳタグを切断し、タグのＥＡＳ部分を使えなくしようとし、その後不利益物質がインク瓶７２Ｂから溝７５を通って穴７４から外へ押し出され、物品を着色し、および／またはインクはタグ１の切断箇所から直接押し出されところを示す。
【０１０５】
実施の形態のある特徴が本書で説明されたように図解されたが、当業者には多くの改変、代替、変更および等価物が思いつくであろう。したがって、添付の特許請求の範囲はそのような改変や変更のすべてを、実施の形態の範囲内にあるものとすることを意図している。
【図面の簡単な説明】
【０１０６】
【図１】図１は、一実施の形態による、ＥＡＳ／不利益物質排出タグとそれに使われるディタッチャである、弓形プローブを示す。
【図２】図２は、一実施の形態による、図１のＥＡＳタグの内部部品と下部ハウジングを示す。
【図３】図３は、一実施の形態による、図１のＥＡＳタグの線Ａ−Ａに沿った断面を示す。
【図４】図４は、一実施の形態による、図１のＥＡＳタグの下部ハウジングの内部を示す。
【図５Ａ】図５Ａは、一実施の形態による、図１のＥＡＳタグの上部ハウジングの内部を示す。
【図５Ｂ】図５Ｂは、一実施の形態による、図１のＥＡＳタグの上部ハウジングの外部を示す。
【図６Ａ】図６Ａは、一実施の形態による、図１のＥＡＳタグの下部ハウジングの内部を、ＥＡＳタグの弓形溝に挿入された弓形プローブと共に示す。
【図６Ｂ】図６Ｂは、一実施の形態による、図１のＥＡＳタグの下部ハウジングの内部を、ＥＡＳタグの弓形溝に挿入された弓形プローブと共に示す。
【図７】図７は、一実施の形態による、図１のＥＡＳタグの線Ｂ−Ｂに沿った断面を、ＥＡＳタグの弓形溝に挿入された弓形プローブと共に示す。
【図８】図８は、一実施の形態による、部材である、ばねクランプの詳細図を示す。
【図９】図９は、一実施の形態による、図１のＥＡＳタグの線C−Cに沿った断面を、定位置のブレーカプレートと小瓶と共に示す。
【図１０】図１０は、一実施の形態による、図１のＥＡＳタグの線D−Dに沿った断面を、定位置のブレーカプレートと小瓶と共に示す。
【図１１】図１１は、一実施の形態による、図１のＥＡＳタグの線C−Cに沿った断面を、定位置のブレーカプレートと小瓶と共に、ブレーカープレートがインク瓶を壊している状態で、示す。
【図１２】図１２は、一実施の形態による、図１のＥＡＳタグの線C−Cに沿った断面図を示し、インクが囲まれた場所で孔から流出する溝を示す。
【図１２Ａ】図１２Ａは、一実施の形態による、図１２のＥＡＳタグの線Ｅ−Ｅに沿った断面図を示し、不利益物質が溝を通ってタグ本体から出るところを示す。
【図１３】図１３は、一実施の形態による、盗難者がＥＡＳタグを真ん中で切ったときにインクあるいは他の不利益物質がＥＡＳタグから押し出されているＥＡＳタグを示す。
【図１４】図１４は、一実施の形態による、インクあるいは他の不利益物質のルーティング構造を有するＥＡＳタグの分解図を示す。
【図１５】図１５は、一実施の形態による、ＥＡＳタグの分解図を示す。
【図１６】図１６は、一実施の形態による、くさびを含む保持装置を有するＥＡＳタグの一部分の斜視図を示す。
【図１７】図１７は、一実施の形態による、タグ本体に鋲留めが部分的に挿入された、くさびを含む保持装置を有するＥＡＳタグの内部側面図を示す。
【図１８】図１８は、一実施の形態による、鋲留めがくさびでタグ本体にロックされた、くさびを含む保持装置を有するＥＡＳタグの内部側面図を示す。
【図１９】図１９は、一実施の形態による、くさびがロック位置から外れて動いた、くさびを含む保持装置を有するＥＡＳタグの内部側面図を示す。
【図１】
2009526319.tif 000003
【図２】
2009526319.tif 000004
【図３】
2009526319.tif 000005
【図４】
2009526319.tif 000006
【図５Ａ】
2009526319.tif 000007
【図５Ｂ】
2009526319.tif 000008
【図６Ａ】
2009526319.tif 000009
【図６Ｂ】
2009526319.tif 000010
【図７】
2009526319.tif 000011
【図８】
2009526319.tif 000012
【図９】
2009526319.tif 000013
【図１０】
2009526319.tif 000014
【図１１】
2009526319.tif 000015
【図１２】
2009526319.tif 000016
【図１２Ａ】
2009526319.tif 000017
【図１３】
2009526319.tif 000018
【図１４】
2009526319.tif 000019
【図１５】
2009526319.tif 000020
【図１６】
2009526319.tif 000021
【図１７】
2009526319.tif 000022
【図１８】
2009526319.tif 000023
【図１９】
2009526319.tif 000024
【国際調査報告】
2009526319.tif 000025
2009526319.tif 000026
2009526319.tif 000027
2009526319.tif 000028
2009526319.tif 000029